(57)【要約】【課題】簡便で汎用性が高く、ケーラ照明光の光軸等を厳密に調整することを可能とすること。【解決手段】照明調整用器具２０をレボルバ１２に取り付け、対物レンズ１３の瞳面１３ａに対応する位置に光源４の光源投影像１５を結像させ、この光源投影像を平面ミラー３０ａにより偏向し、各リレーレンズ３１によりカメラ３４のＣＣＤ面３４ａ上で結像させ、このカメラ３４によって撮像されたケーラ照明の光源投影像１５をモニタし、落射照明投光管２内に設けられたリレーレンズ７及び光源４の位置を変える等してケーラ照明の光軸及びフォーカスを調整する。【選択図】図３
2006323174.tif 000002
【特許請求の範囲】
【請求項１】
顕微鏡におけるケーラ照明の光軸調整を行う際に用いる顕微鏡の照明調整用器具において、
対物レンズを装着するレボルバに対して着脱可能で、かつ前記対物レンズの瞳面上に形成される前記ケーラ照明の光源投影像を前記ケーラ照明の光軸上で観察可能とすることを特徴とする顕微鏡の照明調整用器具。
【請求項２】
前記レボルバに対して取り付け、取り外し可能で、かつ両端に入射側とにそれぞれ各開口部を有する曲折した中空孔が設けられた筐体と、
前記対物レンズの瞳面における前記光源投影像を前記中空孔の曲折方向に沿って偏向する少なくとも１つの反射部材と、
を有することを特徴とする請求項１記載の顕微鏡の照明調整用器具。
【請求項３】
前記対物レンズの瞳面における前記光源投影像を伝送するリレーレンズ系と、
前記リレーレンズ系により伝送された前記光源投影像を撮像する撮像装置と、
を有することを特徴とする請求項１又は２記載の顕微鏡の照明調整用器具。
【請求項４】
前記中空孔内における前記対物レンズの前記瞳面位置近傍に設けられ、紫外領域の光を吸収し、かつ蛍光成分を含有又は塗布されたガラス部材を有することを特徴とする請求項２又は３記載の顕微鏡の照明調整用器具。
【請求項５】
前記筐体は、前記レボルバに対して着脱可能とする取付部材と、
前記中空孔が設けられたホルダとを有し、
前記ホルダは、前記取付部材に対して前記ケーラ照明の光軸を中心に回転可能に設けられた、
ことを特徴とする請求項２乃至４のうちいずれか１項記載の顕微鏡の照明調整用器具。
【請求項６】
前記筐体は、前記中空孔が設けられたホルダと、
前記撮像装置を前記ホルダに対して固定するための固定具とを有し、
前記固定具は、前記ホルダに対して前記リレーレンズ系により伝送される前記ケーラ照明の光軸方向に移動可能に設けられ、前記リレーレンズ系と前記撮像装置との間の距離を可変とする、
ことを特徴とする請求項２乃至４のうちいずれか１項記載の顕微鏡の照明調整用器具。
【請求項７】
前記撮像装置は、当該撮像装置の撮像面を前記対物レンズの瞳面位置と共役の位置に設けることを特徴とする請求項３又は４記載の顕微鏡の照明調整用器具。
【発明の詳細な説明】
【技術分野】
【０００１】
本発明は、例えば紫外光顕微鏡におけるケーラ照明の光軸、フォーカス等の光路調整を行う際に用いる顕微鏡の照明調整用器具に関する。
【背景技術】
【０００２】
一般に、顕微鏡に用いられるケーラ照明の調整方法は、芯出し工具を用い、対物レンズの瞳面への光源投影像を目視確認しながらケーラ照明光の光軸、フォーカス等の光路調整を行っている。芯出し工具は、対物レンズの瞳位置付近である所定位置にガラス板等の投影板を設置し、この投影板に投影された光源投影像の位置を目視観察するために用いられる。
【０００３】
ケーラ照明の調整方法に関する技術は、例えば特許文献１乃至４に開示されている。特許文献１は、倒立顕微鏡であって、対物レンズの瞳面にルミネッセンス物質（蛍光物質）を含む投影板を配置し、このルミネッセンス物質に紫外光が照射されたことによる励起によって発生した蛍光を、例えば接眼レンズを通して又は直接目視観察することによって調整を行うことを開示する。  
特許文献１乃至３は、いずれも不可視光である紫外光照明に適用するもので、このうち特許文献２は、対物レンズのレボルバに対して着脱可能でかつ可視光線を透過させるが、紫外線を透過させない性質を持つ筒体を備え、この筒体に光源像を投影させて紫外光の照射により蛍光を発生するターゲットを設け、このターゲットに光源芯出しの指標となるマークを設けたことを開示する。  
特許文献３は、対物レンズの瞳面のムラを物体面の照明ムラに置き換え、この照明ムラの輝度情報を像面においてカメラにより撮像し、この撮像により取得された画像データに基づいて調整を行うことを開示する。  
特許文献４は、対物レンズの瞳面の後方又は照明光路の瞳面の後方において検出器を配置し、この検出器の光出力が最大になるように、照明光路に対してランプを相対的に調整することを開示する。
【特許文献１】特開平８−８６９８１号公報
【特許文献２】特開平８−１８４７３７号公報
【特許文献３】特開２００２−２３０６２号公報
【特許文献４】特開２００２−２７７７４８号公報
【発明の開示】
【発明が解決しようとする課題】
【０００４】
特許文献１は、倒立顕微鏡に適用した技術であり、正立顕微鏡に適用する場合、当該正立顕微鏡には、一般的に対物レンズの下方に被検体を載置するステージ等の構造物が設けられていることが多く、この場合、対物レンズの下方のスペースに制約ができ、ルミネッセンス物質に紫外光が照射されたことによる励起によって発生した蛍光を直接目視観察することが困難になる。
【０００５】
特許文献２は、光源像を投影させるターゲットを設けた筒体をレボルバに取り付けるために、対物レンズの瞳位置と当該対物レンズを取り付けるレボルバとの間隔は一般的に１０ｍｍ〜１５ｍｍ程度であるが、対物レンズの瞳の位置がレボルバに近い場合、これら対物レンズとレボルバとの隙間から光源投影像を観察することが困難である。  
又、特許文献２は、作業者によってターゲットに投影された光源像を観察してケーラ照明光の光軸等を厳密に調整する場合、ターゲットに投影された光源像をケーラ照明光の光軸上で観察する必要がある。しかしながら、特許文献２は、筒体の外側からターゲットに投影された光源像を照明光の光軸に対して斜め方向から観察するために、斜め方向から観察したターゲット上の光源像からケーラ照明光の光軸等を厳密に調整することは困難である。
【０００６】
ターゲットに投影された光源像の瞳径は、例えば紫外光顕微鏡でよく用いられる倍率１００倍の対物レンズで３ｍｍ程度と小さく、ターゲットで発生する蛍光量は微弱になる。このため、特許文献２では、作業者がターゲットで発生する蛍光をその上方から観察する場合、室内灯が点灯している環境下では、ターゲット上の照度も高くなるために、作業者の目視では、ターゲットで発生する蛍光が見にくくなる。このような場合、室内灯を消灯するか、又は紫外光顕微鏡や筒体などの周囲を暗幕等で囲むなどして暗室環境を作るなどの作業が必要になる。このため、作業者に負担を与える。
【０００７】
特許文献１に開示されているルミネッセンス物質を含む投影板と特許文献２に開示されている蛍光を発生するターゲットとは、それぞれ特殊なもので専用に製作する必要がある。一般的に、蛍光ガラスと呼ばれない一般に市販されているガラスにも例えば赤や橙といった色を着色した色ガラスがある。このような色ガラスには、その成分や不純物中に微量ながら蛍光物質を含むことが多く、このような色ガラスを蛍光物質の代わりに使用した場合、色ガラスから発生する蛍光量は非常に微弱で、目視観察することが不可能な場合もある。
【０００８】
特許文献４に開示されているケーラ照明の調整方法を紫外光顕微鏡に適用する場合、検出器として紫外光に感度を持つ検出器を用いれば紫外光顕微鏡に適用可能ではあろうが、紫外光に感度を持つ検出器を用いるために専用のシステム及びソフトウエアが必要になるなど、システム構成が複雑化し、かつ高価になる。
【０００９】
紫外光顕微鏡に対して特許文献３に開示されているケーラ照明の調整方法を適用する場合も上記特許文献４を適用した場合と同様に、システム構成が複雑化し、かつ高価になると共に、加えてケーラ照明光の光軸及びフォーカス調整を直接的に行うものでない。
【課題を解決するための手段】
【００１０】
本発明は、顕微鏡におけるケーラ照明の光路調整を行う際に用いる顕微鏡の照明調整用器具において、対物レンズを装着するレボルバに対して取り付け、取り外し可能で、かつ対物レンズの瞳面上に形成されるケーラ照明の光源投影像をケーラ照明の光軸上で観察可能とする顕微鏡の照明調整用器具である。
【発明の効果】
【００１１】
本発明は、ケーラ照明光の光軸等を厳密に調整することが可能な簡便で汎用性の高い顕微鏡の照明調整用器具を提供できる。
【発明を実施するための最良の形態】
【００１２】
以下、本発明の第１の実施の形態について図面を参照して説明する。  
図１は紫外光顕微鏡に用いるケーラ照明系の構成図を示す。顕微鏡本体１の上部には、落射照明投光管２が設けられている。この落射照明投光管２の背面側には、光源部３が設けられている。この光源部３は、例えば紫外光を出力する光源４を備えている。  
落射照明投光管２には、光源４から出力される照明光の光路上にコレクタレンズ５、開口絞り６、リレーレンズ７及びハーフミラー８が設けられている。なお、光源４が例えば水銀キセノンランプのような多波長の光を出力するものであれば、落射照明投光管２における光源４とハーフミラー８との間の光路上には、光源４から出力された照明光から不要な波長の光、例えば紫外領域以外の波長領域の光を遮光する反射フィルタ又は透過フィルタ等の図示しない波長選択光学系が設けられる。
【００１３】
顕微鏡本体１の側面には、焦準機構９を介してステージ１０が設けられている。このステージ１０上には、被検体１１が載置される。  
落射照明投光管２のハーフミラー８の下部に当たる顕微鏡本体１には、レボルバ１２が回転可能に設けられている。このレボルバ１２には、複数の対物レンズ１３が取り付けられている。  
このような紫外光顕微鏡に用いるケーラ照明系であれば、光源４から出力された紫外光１４は、コレクタレンズ５、開口絞り６を通過してリレーレンズ７によりリレーされ、ハーフミラー８により角度９０°下方に向けて反射し、対物レンズ１３を通って被検体１１に照射される。このとき、紫外光１４は、対物レンズ１３の瞳面１３ａで光源４の光源投影像（空中像）１５を結像する。
図２は本発明の顕微鏡の照明調整用器具２０を紫外光顕微鏡に取り付けた状態を示す。この照明調整用器具２０は、レボルバ１２に対して取り付け、取り外し装着可能であって、レボルバ１２に取り付けられている複数の対物レンズ１３のうち任意の対物レンズ１３に替えてレボルバ１２に取り付けられる。
図３は照明調整用器具２０の具体的な構成図を示す。この照明調整用器具２０は、筐体としてのホルダ２１を有する。このホルダ２１は、略Ｌ字形状に形成され、かつその内部に例えば角度９０°に折れ曲がった中空孔２２が設けられている。すなわち、中空孔２２は、互いに垂直に交わる各光軸ａ１、ａ２に沿って設けられている。この中空孔２２が設けられることによりホルダ２１には、中空孔２２の一方の端部に開口部（以下、入射側の開口部と称する）２３と、中空孔２２の他方の端部に開口部（以下、出射側の開口部と称する）２４とが設けられている。
入射側の開口部２３には、環状の取付部材２５が設けられている。すなわち、ホルダ２１の入射側の開口部２３側には、鍔部２６が設けられている。同様に、取付部材２５にも鍔部２７が設けられ、これら鍔部２６と鍔部２７とは、互いに把持し合い、かつ相互に光軸ａ１を中心に回転可能に設けられている。取付部材２５の外周面には、雄ネジ２８が設けられている。この雄ネジ２８は、レボルバ１２における対物レンズ１３を取り付けるための取付孔内に設けられた雌ネジ２９に螺合する。
【００１４】
中空孔２２における角度９０°に折れ曲がったコーナ部には、ミラー取付部３０が設けられている。このミラー取付部３０は、各光軸ａ１、ａ２に対して例えば角度４５°に設けられている。このミラー取付部３０内には、反射部材として例えば平面ミラー３０ａが設けられている。この平面ミラー３０ａは、入射側の開口部２３から入射した紫外光を反射して例えば角度９０°偏向する。  
中空孔２２における平面ミラー３０ａと出射側の開口部２４との間における光軸ａ２上には、リレーレンズ系としての各リレーレンズ３１が設けられている。これらリレーレンズ３１は、平面ミラー３０ａにより偏向された紫外光を出射側の開口部２４に送る。
出射側の開口部２４には、例えば円筒状の嵌合部３２が設けられ、この嵌合部３２に固定具３３が嵌合している。この固定具３３は、嵌合部３２に対して光軸ａ２の方向にスライド可能に設けられている。この固定具３３には、撮像装置としてのカメラ３４が固定されている。しかるに、固定具３３は、光軸ａ２の方向にスライドすることにより、各リレーレンズ３１とカメラ３４との間の距離を可変する、すなわちカメラ３４の撮像面であるＣＣＤ面３４ａを対物レンズ１３の瞳面１３ａの位置と共役の位置に設ける。なお、カメラ３４の固定具３３への固定方式は、例えばＣマウント方式であって、例えば顕微鏡による被検体１１の観察に用いるカメラ３４と取付部とが共通であることが望ましい。
カメラ３４は、リレーレンズ３１により伝送された対物レンズ１３の瞳面１３ａ上に形成されるケーラ照明の光源投影像１５を撮像する。このカメラ３４は、紫外領域の光に感度を有する。
【００１５】
次に、上記の如く構成された照明調整用器具２０を用いたケーラ照明光の光軸等の調整について説明する。  
顕微鏡におけるケーラ照明系の調整を行う場合、照明調整用器具２０がレボルバ１２に取り付けられている複数の対物レンズ１３のうち任意の対物レンズ１３に替わってレボルバ１２に取り付けられる。この場合、照明調整用器具２０は、取付部材２５の雄ネジ２８をレボルバ１２の取付孔に設けられた雌ネジ２９に螺合することによりレボルバ１２に取り付けられる。
光源４から紫外光１４が出力されると、この紫外光１４は、コレクタレンズ５、開口絞り６を通過してリレーレンズ７によりリレーされ、ハーフミラー８により角度９０°下方に向けて反射して光軸ａ１上を進み、照明調整用器具２０の中空孔２２内に入射する。
この中空孔２２内に入射した紫外光１４は、当該中空孔２２内におけるレボルバ１２に取り付けられる対物レンズ１３の瞳面１３ａに対応する位置で光源４の光源投影像（空中像）１５として結像される。この光源投影像（空中像）１５は、平面ミラー３０ａにより偏向されて光軸ａ２上を進み、各リレーレンズ３１により出射側の開口部２４に送られ、カメラ３４内に入射する。
このとき、カメラ３４は、固定具３３の光軸ａ２の方向へのスライドにより、当該カメラ３４のＣＣＤ面３４ａがレボルバ１２に取り付けられる対物レンズ１３の瞳面１３ａの位置と共役の位置に設けられているので、ケーラ照明の光源投影像１５は、カメラ３４のＣＣＤ面３４ａ上で結像する。これにより、カメラ３４は、ケーラ照明の光源投影像１５を撮像する。
【００１６】
カメラ３４によって撮像されたケーラ照明の光源投影像１５は、例えば図示しないモニタに表示される。作業者は、モニタに表示されたケーラ照明の光源投影像１５を観察しながら例えば落射照明投光管２内に設けられたリレーレンズ７及び光源４の位置を変える等してケーラ照明の光軸及びフォーカスを調整する。
【００１７】
ケーラ照明に用いる波長を紫外光１４と異なる波長に変更した場合のケーラ照明系の調整は、固定具３３を光軸ａ２の方向にスライド移動して各リレーレンズ３１とカメラ３４との間の距離を可変する。これにより、波長の変更によるケーラ照明系の焦点距離の変化に合わせてカメラ３４のＣＣＤ面３４ａ上にケーラ照明の光源投影像１５が結像するように設定する。以下、上記同様に、作業者は、モニタに表示されたケーラ照明の光源投影像１５を観察しながら例えば落射照明投光管２内に設けられたリレーレンズ７及び光源４の位置を変える等して変更した波長でのケーラ照明の光軸及びフォーカスを調整する。  
ケーラ照明の光軸及びフォーカスを調整するとき、照明調整用器具２０のホルダ２１は、取付部材２５に対して光軸ａ１を中心に回転可能に設けられているので、ホルダ２１を回転させることによってカメラ３４の向きを所望の向きに変えることができる。
【００１８】
このように上記第１の実施の形態によれば、照明調整用器具２０をレボルバ１２に取り付け、レボルバ１２に取り付けられる対物レンズ１３の瞳面１３ａに対応する位置に光源４の光源投影像（空中像）１５を結像させ、この光源投影像を平面ミラー３０ａにより偏向し、各リレーレンズ３１によりカメラ３４のＣＣＤ面３４ａ上で結像させ、このカメラ３４によって撮像されたケーラ照明の光源投影像１５をモニタし、落射照明投光管２内に設けられたリレーレンズ７及び光源４の位置を変える等してケーラ照明の光軸及びフォーカスを調整するので、簡単な構成の照明調整用器具２０をレボルバ１２に取り付けるだけで、ケーラ照明の光源投影像１５を光軸ａ２上、すなわちケーラ照明の光軸上で顕微鏡の観察光学系を介さずに直接観察することができ、ケーラ照明光の光軸及びフォーカス等を厳密に調整できる。
【００１９】
又、対物レンズ１３の瞳面１３ａにな対応する位置に結像された光源４の光源投影像１５は、平面ミラー３０ａによって偏向されているので、レボルバ１２とステージ１０との空間が狭い場合でもカメラ３４を配置して光源投影像１５を撮像することができる。  
室内灯を消灯したり、又は紫外光顕微鏡や筒体などの周囲を暗幕等で囲むなどして暗室環境を作るなどの作業も不要であり、さらに従来のように光量の少ない小さな投影像を目視で観察することが無くなり、作業者への負担を軽減できる。  
モニタに表示されたケーラ照明の光源投影像１５を観察しながらケーラ照明の光軸及びフォーカスを調整するので、これらケーラ照明の光軸及びフォーカス調整の精度を高くできる。
【００２０】
固定具３３を光軸ａ２の方向にスライド移動して各リレーレンズ３１とカメラ３４との間の距離を可変し、波長の変更によるケーラ照明系の焦点距離の変化に合わせてカメラ３４のＣＣＤ面３４ａ上にケーラ照明の光源投影像１５が結像するように設定できるので、顕微鏡のケーラ照明に用いる波長として紫外領域から可視領域、赤外領域の幅広い波長領域においてケーラ照明の光軸及びフォーカス調整が行え、汎用性が広い。
照明調整用器具２０のホルダ２１は、取付部材２５に対して光軸ａ１を中心に回転可能に設けられているので、ケーラ照明の光軸及びフォーカスを調整するとき、ホルダ２１を回転させることによってカメラ３４の向きを作業者にとって観察しやすい所望の向きに変えることができる。
【００２１】
なお、上記第１の実施の形態において、ケーラ照明の光源投影像１５が結像される位置又はカメラ３４のＣＣＤ面３４ａ上の近傍には、ケーラ照明調整時の指標となる石英ガラスにより成る目盛板を設けてもよい。ケーラ照明調整時の指標となる目盛は、モニタの表示画面上に表示してもよい。
【００２２】
次に、本発明の第２の実施の形態について図面を参照して説明する。なお、図１乃至図３と同一部分には同一符号を付してその詳しい説明は省略する。  
図４は照明調整用器具２０の具体的な構成図を示す。ホルダ２１の中空孔２２内におけるレボルバ１２に取り付けられる対物レンズ１３の瞳面１３ａに対応する位置には、色ガラス４０が設けられている。この場合、色ガラス４０の入射側面４０ａが対物レンズ１３の瞳面１３ａに対応する位置に設けられている。
色ガラス４０は、例えばシャープカットフィルタ（色ガラスフィルタ）と呼ばれるもので、特定の波長の光、例えば波長５８０ｎｍ以下の波長の光を吸収する橙色のフィルタである。この色ガラス４０には、蛍光物質が含有、又は塗布されている。なお、この色ガラス４０には、ケーラ照明調整時の指標となる例えば円形の中心で交差する２本の直行ライン又は円形のライン等のマークや目盛りを設けてもよい。
各リレーレンズ３１とカメラ３４との間の距離は、色ガラス４０の入射側面４０ａとカメラ３４のＣＣＤ面３４ａ上とが光学的に共役の関係に設定されている。これにより、ケーラ照明の光源投影像１５がカメラ３４のＣＣＤ面３４ａ上に結像する。  
カメラ３４は、紫外領域の光に感度を有するもの、又は可視領域の光に感度を有する可視光用カメラであってもよい。
【００２３】
次に、上記の如く構成された照明調整用器具２０を用いたケーラ照明光の光軸等の調整について説明する。  
光源４から紫外光１４が出力されると、この紫外光１４は、コレクタレンズ５、開口絞り６を通過してリレーレンズ７によりリレーされ、ハーフミラー８により角度９０°下方に向けて反射して光軸ａ１上を進み、照明調整用器具２０の中空孔２２内に入射する。
この中空孔２２内に入射した紫外光１４は、当該中空孔２２内におけるレボルバ１２に取り付けられる対物レンズ１３の瞳面１３ａに対応する位置で光源４の光源投影像（空中像）１５として結像される。この対物レンズ１３の瞳面１３ａに対応する位置には、色ガラス４０の入射側面４０ａが設けられているので、当該色ガラス４０の入射側面４０ａ上に光源４の光源投影像（空中像）１５が結像することにより色ガラス４０に含有する蛍光物質が励起され、当該蛍光物質から可視光の光源像４１が発光される。  
色ガラス４０に入射した紫外光１４は、当該色ガラス４０によって吸収され、色ガラス４０の出射側面４０ｂ側からの出射は、ゼロ又は僅かである。
【００２４】
一方、色ガラス４０の入射側面４０ａ上で発光した可視光の光源像４１は、色ガラス４０を透過し、平面ミラー３０ａにより偏向されて光軸ａ２上を進み、各リレーレンズ３１により出射側の開口部２４に送られ、カメラ３４内に入射する。  
このとき、カメラ３４は、当該カメラ３４のＣＣＤ面３４ａがレボルバ１２に取り付けられる対物レンズ１３の瞳面１３ａの位置と共役の位置に設けられているので、可視光の光源像４１は、カメラ３４のＣＣＤ面３４ａ上で結像する。これにより、カメラ３４は、可視光の光源像４１を撮像する。
【００２５】
カメラ３４によって撮像された可視光の光源像４１は、例えば図示しないモニタに表示される。作業者は、モニタに表示された可視光の光源像４１を観察しながら例えば落射照明投光管２内に設けられたリレーレンズ７及び光源４の位置を変える等してケーラ照明の光軸及びフォーカスを調整する。
【００２６】
なお、本実施の形態では、リレーレンズ３１とカメラ３４との距離が色ガラス４０ａとカメラ３４のＣＣＤ面３４ａ上とが光学的に共役な位置に設定されているが、上記第１の実施の形態と同様に、カメラ３４を光軸ａ２の方向にスライド可能として、色ガラス４０が発する可視光の波長に応じてＣＣＤ面３ａの位置調整を可能としてもよい。  
又、色ガラス４０は、前述のシャープカットフィルタ以外に、特定の波長の光を吸収するもので、さらに特定の波長の光に対して蛍光を発する蛍光物質を含有、塗布されたものであればよい。  
このように上記第２の実施の形態によれば、ホルダ２１の中空孔２２内における対物レンズ１３の瞳面１３ａに対応する位置に色ガラス４０を設け、この色ガラス４０に発光される可視光の光源像４１をカメラ３４によって撮像してモニタに表示し、このモニタ表示を見ながら落射照明投光管２内に設けられたリレーレンズ７及び光源４の位置を変える等してケーラ照明の光軸及びフォーカスを調整するので、上記第１の実施の形態と同様の効果を奏することができると共に、カメラ３４は、可視光用カメラを使用できるので、その分だけ安価にできると共に、紫外領域の光に感度を有する紫外線専用のカメラを用いなくて済み、カメラ使用の汎用性を広くできる。  
カメラ３４のＣＣＤ面３４ａに入射する紫外光は、ゼロ又は僅かであるので、カメラ３４のＣＣＤの劣化を少なくできる。
【００２７】
次に、本発明の第３の実施の形態について図面を参照して説明する。なお、図１及び図４と同一部分には同一符号を付してその詳しい説明は省略する。  
図５は照明調整用器具２０の具体的な構成図を示す。ホルダ２１の中空孔２２内における光軸ａ１上の色ガラス４０と平面ミラー３０ａとの間には、ＵＶカットフィルタ５０が設けられている。このＵＶカットフィルタ５０は、紫外領域の光を遮光する。  
ホルダ２１の出射側には、開口に向かって口広となるフード状の開口部５１が設けられている。なお、ホルダ２１の中空孔２２内における光軸ａ２上からは、各リレーレンズ３１を取り外している。
次に、上記の如く構成された照明調整用器具２０を用いたケーラ照明光の光軸等の調整について説明する。  
光源４から紫外光１４が出力されると、この紫外光１４は、コレクタレンズ５、開口絞り６を通過してリレーレンズ７によりリレーされ、ハーフミラー８により角度９０°下方に向けて反射して光軸ａ１上を進み、照明調整用器具２０の中空孔２２内に入射する。
この中空孔２２内に入射した紫外光１４は、当該中空孔２２内におけるレボルバ１２に取り付けられる対物レンズ１３の瞳面１３ａに対応する位置で光源４の光源投影像（空中像）１５として結像される。この対物レンズ１３の瞳面１３ａに対応する位置には、色ガラス４０の入射側面４０ａが設けられているので、当該色ガラス４０の入射側面４０ａ上に光源４の光源投影像（空中像）１５が結像することにより色ガラス４０に含有する蛍光物質が励起され、当該蛍光物質から可視光の光源像４１が発光する。  
色ガラス４０に入射した紫外光１４は、当該色ガラス４０によって吸収され、色ガラス４０の出射側面４０ｂ側からの出射は、ゼロ又は僅かである。
【００２８】
一方、色ガラス４０の入射側面４０ａ上で発光した可視光の光源像４１は、色ガラス４０を透過し、ＵＶカットフィルタ５０に入射する。これにより、色ガラス４０を透過した僅かな紫外領域の光は、ＵＶカットフィルタ５０によって吸収され、開口部５１側に到達しない。
【００２９】
ＵＶカットフィルタ５０を透過した可視光の光源像４１は、平面ミラー３０ａにより偏向されて光軸ａ２上を進み、出射側の開口部２４に送られる。  
この状態で、作業者は、開口部２４を覗き、ＵＶカットフィルタ５０、平面ミラー３０ａを介して色ガラス４０で発光した可視光の光源像４１をケーラ照明の光軸上である光軸ａ２上で目視で観察する。しかるに、作業者は、可視光の光源像４１を目視観察することにより例えば落射照明投光管２内に設けられたリレーレンズ７及び光源４の位置を変える等してケーラ照明の光軸及びフォーカスを調整する。
【００３０】
このように上記第３の実施の形態によれば、ホルダ２１の中空孔２２内における対物レンズ１３の瞳面１３ａに対応する位置に色ガラス４０を設けると共に、この色ガラス４０の出射側にＵＶカットフィルタ５０を設けたので、上記第１の実施の形態と同様の効果を奏することができると共に、色ガラス４０を透過した僅かな紫外領域の光をＵＶカットフィルタ５０によって吸収でき、開口部５１側に到達することがない。これにより、作業者は、ケーラ照明の光軸上である光軸ａ２上で可視光の光源像４１を目視で観察できる。
【００３１】
又、ホルダ２１と開口部５１とは、フードの役目を果たすので、従来のように顕微鏡や筐体など周囲を暗幕で囲むなどして暗室環境を作る必要はなく、光量の微弱な光源像でも室内電灯下で目視観察可能である。  
なお、本実施の形態では、色ガラス４０の出射側にＵＶカットフィルタ５０を設けたが、色ガラス４０で紫外領域の光を完全に吸収できる場合には、ＵＶカットフィルタ５０を省略してもよい。
【００３２】
次に、本発明の第４の実施の形態について図面を参照して説明する。なお、図５と同一部分には同一符号を付してその詳しい説明は省略する。  
図６は照明調整用器具２０の具体的な構成図を示す。ホルダ２１の中空孔２２における出射側の開口部６０には、拡大レンズ６１が設けられている。この拡大レンズ６１は、光源４の光源投影像１５、すなわち色ガラス４０で発光した可視光の光源像４１を拡大する。  
色ガラス４０から平面ミラー３０ａを介して拡大レンズ６１に至る距離は、拡大レンズ６１の焦点距離よりも短く設定されている。  
なお、本実施の形態では、上記第３の実施の形態におけるＵＶカットフィルタ５０を省略しているが、色ガラス４０の紫外光吸収特性によって色ガラス４０が紫外領域の光を完全に吸収できない場合は、ＵＶカットフィルタ５０を設けてもよい。
次に、上記の如く構成された照明調整用器具２０を用いたケーラ照明光の光軸等の調整について説明する。  
光源４から紫外光１４が出力されると、この紫外光１４は、コレクタレンズ５、開口絞り６を通過してリレーレンズ７によりリレーされ、ハーフミラー８により角度９０°下方に向けて反射して光軸ａ１上を進み、照明調整用器具２０の中空孔２２内に入射する。
この中空孔２２内に入射した紫外光１４は、当該中空孔２２内におけるレボルバ１２に取り付けられる対物レンズ１３の瞳面１３ａに対応する位置で光源４の光源投影像（空中像）１５として結像される。この対物レンズ１３の瞳面１３ａに対応する位置には、色ガラス４０の入射側面４０ａが設けられているので、当該色ガラス４０の入射側面４０ａ上に光源４の光源投影像（空中像）１５が結像することにより色ガラス４０に含有する蛍光物質が励起され、当該蛍光物質から可視光の光源像４１が発光する。
【００３３】
色ガラス４０に入射した紫外光１４は、当該色ガラス４０によって吸収され、色ガラス４０の出射側面４０ｂ側からの出射は、ゼロ又は僅かである。なお、色ガラス４０から僅かに漏れた紫外光１４は、ＵＶカットフィルタ５０を設けることにより遮光する。
【００３４】
一方、色ガラス４０の入射側面４０ａ上で発光した可視光の光源像４１は、平面ミラー３０ａにより偏向されて光軸ａ２上を進み、拡大レンズ６１で拡大される。  
この状態に、作業者は、開口部２４を覗き、拡大レンズ６１を通して拡大された可視光の光源像４１の虚像４１ａをケーラ照明の光軸上である光軸ａ２上で目視で観察する。しかるに、作業者は、拡大された可視光の光源像４１の虚像４１ａを目視観察することにより例えば落射照明投光管２内に設けられたリレーレンズ７及び光源４の位置を変える等してケーラ照明の光軸及びフォーカスを調整する。
【００３５】
このように上記第４の実施の形態によれば、拡大レンズ６１を通して拡大された可視光の光源像４１の虚像４１ａを目視観察することにより例えば落射照明投光管２内に設けられたリレーレンズ７及び光源４の位置を変える等してケーラ照明の光軸及びフォーカスを調整するので、上記第１の実施の形態と同様の効果を奏することができると共に、拡大された可視光の光源像４１の虚像４１ａを目視観察することにより、作業者のケーラ照明の調整作業の負担を軽減できると共に、ケーラ照明の調整精度を高くできる。
なお、本発明は、上記各実施の形態に限定されるものではなく、次のように変形してもよい。  
例えば、上記第３及び第４の実施の形態は、作業者の目視観察によってケーラ照明の光軸及びフォーカスを調整しているが、出射側の各開口部５１、６０にそれぞれカメラ３４を設け、このカメラ３４によって色ガラス４０に発光した可視光の光源像４１を撮像してモニタに表示し、このモニタ表示を見ながら落射照明投光管２内に設けられたリレーレンズ７及び光源４の位置を変える等してケーラ照明の光軸及びフォーカスを調整してもよい。
固定具３３を光軸ａ２の方向にスライド移動することにより波長の変更によるケーラ照明系の焦点距離の変化に合わせてカメラ３４のＣＣＤ面３４ａ上にケーラ照明の光源投影像１５が結像するように設定できるので、ケーラ照明に用いる紫外光等の波長に限定されず、各種波長のケーラ照明を用いた各種顕微鏡に適用可能である。  
又、上記各実施の形態は、本願発明の顕微鏡の照明調整用器具を正立型の顕微鏡に適用しているが、倒立型の顕微鏡にも適用可能である。
【図面の簡単な説明】
【００３６】
【図１】紫外光顕微鏡に用いるケーラ照明系の構成図。
【図２】本発明に係る顕微鏡の照明調整用器具の第１の実施の形態を取り付けた紫外光顕微鏡を示す構成図。
【図３】同照明調整用器具の具体的な構成図。
【図４】本発明に係る顕微鏡の照明調整用器具の第２の実施の形態を示す具体的な構成図。
【図５】本発明に係る顕微鏡の照明調整用器具の第３の実施の形態を示す具体的な構成図。
【図６】本発明に係る顕微鏡の照明調整用器具の第４の実施の形態を示す具体的な構成図。
【符号の説明】
【００３７】
１：顕微鏡本体、２：落射照明投光管、３：光源部、４：光源、５：コレクタレンズ、６：開口絞り、７：リレーレンズ、８：ハーフミラー、９：焦準機構、１０：ステージ、１１：被検体、１２：レボルバ、１３：対物レンズ、１３ａ：対物レンズの瞳面、１４：紫外光、１５：光源投影像（空中像）、２０：照明調整用器具、２１：ホルダ、２２：中空孔、２３：入射側の開口部、２４：出射側の開口部、２５：取付部材、２６，２７：鍔部、２８：雄ネジ、２９：雌ネジ、３０：ミラー取付凹部、３０ａ：平面ミラー、３１：リレーレンズ、３２：嵌合部、３３：固定具、３４：カメラ、３４ａ：ＣＣＤ面、４０：色ガラス、４０ａ：色ガラスの入射側面、４１：可視光の光源像、５０：ＵＶカットフィルタ、５１：開口部、６０：開口部、６１：拡大レンズ。
【図１】
2006323174.tif 000003
【図２】
2006323174.tif 000004
【図３】
2006323174.tif 000005
【図４】
2006323174.tif 000006
【図５】
2006323174.tif 000007
【図６】
2006323174.tif 000008